(57)【要約】【課題】光源モジュールが接続されていないときに点灯装置から光源点灯用の電力が誤って出力されないようにする。【解決手段】降圧チョッパ回路４１は、昇圧チョッパ回路３１から供給される電力の電圧をスイッチング素子Ｑ１のオンオフにより所定の電圧に調整する。接続検出判定ＩＣ５２は、平滑コンデンサＣ１と抵抗ＲＰとの並列回路から出力される電圧に基づいて、ＬＥＤモジュール１２が降圧チョッパ回路４１に接続されているかどうかを判定する。降圧チョッパ制御ＩＣ４２は、昇圧チョッパ回路３１からの電力の供給が開始してから所定の期間が経過し、かつ、接続検出判定ＩＣ５２により接続検出用の抵抗ＲＬを有するＬＥＤモジュール１２が降圧チョッパ回路４１に接続されていると判定されている場合に、降圧チョッパ回路４１のスイッチング素子Ｑ１のオンオフ動作を行う。【選択図】図１
2014099383.tif 000002
【特許請求の範囲】
【請求項１】
接続検出用の抵抗を有する光源モジュールを接続可能であり、直流電源から供給される電力の電圧をスイッチング素子のオンオフにより所定の電圧に調整し、当該電力をキャパシタンス要素で平滑して光源点灯用の電力を出力する点灯部と、
前記点灯部のキャパシタンス要素に並列接続された抵抗素子と、
前記点灯部のキャパシタンス要素と前記抵抗素子との並列回路から出力される電圧に基づいて、前記光源モジュールが前記点灯部に接続されているかどうかを判定する判定部と、
前記直流電源からの電力の供給が開始してから所定の期間が経過し、かつ、前記判定部により前記光源モジュールが前記点灯部に接続されていると判定されている場合、前記点灯部のスイッチング素子のオンオフ動作を行う制御部と
を備えることを特徴とする点灯装置。
【請求項２】
前記所定の期間は、前記並列回路から出力される電圧が略一定になるまでの期間であることを特徴とする請求項１の点灯装置。
【請求項３】
前記所定の期間は、前記点灯部のキャパシタンス要素の過渡現象が終了するまでの期間であることを特徴とする請求項１又は２の点灯装置。
【請求項４】
前記所定の期間は、前記点灯部のキャパシタンス要素の充電が完了するまでの期間であることを特徴とする請求項１から３のいずれかの点灯装置。
【請求項５】
請求項１から４のいずれかの点灯装置と、
接続検出用の抵抗を有し、前記点灯装置の点灯部から出力される電力により点灯する光源モジュールと
を備えることを特徴とする照明装置。
【発明の詳細な説明】
【技術分野】
【０００１】
本発明は、点灯装置及び照明装置に関するものである。本発明は、特に、ＬＥＤ点灯装置に関するものである。
【背景技術】
【０００２】
定電流電源からの出力電流によりＬＥＤを点灯させる点灯装置がある（例えば、特許文献１，２参照）。
【０００３】
例えば、特許文献１に記載の点灯装置では、ＬＥＤの直列個数が多くなると、定電流電源である降圧チョッパ回路のスイッチング素子のオン時間が長く、オフ時間が短くなり、ＬＥＤの直列個数が少なくなると、降圧チョッパ回路のスイッチング素子のオン時間が短く、オフ時間が長くなる。これにより、ＬＥＤのＶｆ（順方向電圧）によらず定電流で点灯制御が可能である。
【０００４】
また、例えば、特許文献２に記載の点灯装置では、ＬＥＤが搭載された発光モジュールの接続数に対応して定電流電源の出力電流が変化する。これにより、接続された発光モジュールの状態に対応して点灯装置の駆動を制御できる。
【先行技術文献】
【特許文献】
【０００５】
【特許文献１】特開２０１１−２１０６５９号公報
【特許文献２】特開２０１１−９２３２号公報
【発明の概要】
【発明が解決しようとする課題】
【０００６】
ＬＥＤが何らかの影響によりオープンになったときでも、ＬＥＤの接続を検出することで、点灯装置が安全な状態を維持することが必要である。ここで、ＬＥＤが複数個からなるＬＥＤモジュールにおいて、点灯装置の出力間と接続するＬＥＤモジュールの端子間に、抵抗で構成される接続情報を持たせることで、ＬＥＤの接続を容易に検出できることができる。しかし、このような構成を従来の点灯装置に適用しても、ＬＥＤの接続状態を誤判定するおそれがある。
【０００７】
本発明は、例えば、光源モジュールが接続されていないときに点灯装置から光源点灯用の電力が誤って出力されないようにすることを目的とする。
【課題を解決するための手段】
【０００８】
本発明の一の態様に係る点灯装置は、
接続検出用の抵抗を有する光源モジュールを接続可能であり、直流電源から供給される電力の電圧をスイッチング素子のオンオフにより所定の電圧に調整し、当該電力をキャパシタンス要素で平滑して光源点灯用の電力を出力する点灯部と、
前記点灯部のキャパシタンス要素に並列接続された抵抗素子と、
前記点灯部のキャパシタンス要素と前記抵抗素子との並列回路から出力される電圧に基づいて、前記光源モジュールが前記点灯部に接続されているかどうかを判定する判定部と、
前記直流電源からの電力の供給が開始してから所定の期間が経過し、かつ、前記判定部により前記光源モジュールが前記点灯部に接続されていると判定されている場合、前記点灯部のスイッチング素子のオンオフ動作を行う制御部とを備えることを特徴とする。
【発明の効果】
【０００９】
本発明の一の態様では、点灯装置の制御部が、直流電源からの電力の供給が開始してから所定の期間が経過し、かつ、判定部により光源モジュールが点灯部に接続されていると判定されている場合に、点灯部のスイッチング素子のオンオフ動作を行う。このため、光源モジュールが接続されていないときに点灯装置から光源点灯用の電力が誤って出力されることがない。
【図面の簡単な説明】
【００１０】
【図１】実施の形態１に係る照明装置の構成を示す回路図。
【図２】実施の形態１に係る遅延回路の構成を示す回路図。
【図３】実施の形態１に係る点灯装置の内部の電圧（光源モジュールの非接続時）を示すグラフ。
【図４】実施の形態１に係る点灯装置の内部の電圧（光源モジュールの接続時）を示すグラフ。
【発明を実施するための形態】
【００１１】
以下、本発明の実施の形態について、図を用いて説明する。
【００１２】
実施の形態１．
図１は、本実施の形態に係る照明装置１０の構成を示す回路図である。
【００１３】
図１において、照明装置１０は、ＬＥＤ点灯装置１１（点灯装置の例）とＬＥＤモジュール１２（光源モジュールの例）とを備えている。
【００１４】
ＬＥＤ点灯装置１１は、交流電源Ｖａｃから供給される交流電力を入力端子２１に入力し、装着検出用（接続検出用）の抵抗ＲＬを有するＬＥＤモジュール１２内のＬＥＤ８１（発光素子の例）に出力端子２４から定電流を流し、ＬＥＤ８１を点灯させる。
【００１５】
ＬＥＤ点灯装置１１は、ノイズ抑制回路２２と、整流回路２３と、昇圧チョッパ回路３１（直流電源の例）と、降圧チョッパ回路４１（点灯部の例）と、接続検出回路５１と、制御ＩＣ電源回路６１と、遅延回路７１とを備えている。また、ＬＥＤ点灯装置１１は、昇圧チョッパ回路３１を制御する昇圧チョッパ制御ＩＣ３２と、降圧チョッパ回路４１を制御する降圧チョッパ制御ＩＣ４２（制御部の例）とを備えている。さらに、ＬＥＤ点灯装置１１は、接続検出回路５１に接続検出判定ＩＣ５２（判定部の例）を備えている。
【００１６】
整流回路２３は、入力端子２１に入力される交流電力をＬ型やΠ型のノイズフィルタ等からなるノイズ抑制回路２２を介して全波整流するダイオードブリッジよりなる。
【００１７】
昇圧チョッパ回路３１は、整流回路２３の直流出力端間に接続され、整流回路２３の出力電圧を所定の直流電圧に変換する。
【００１８】
降圧チョッパ回路４１は、昇圧チョッパ回路３１から出力される直流電圧を、低い直流電圧に変換する。また、降圧チョッパ回路４１は、電流ピーク制御を用い、いわゆる臨界モード動作にて、インダクタＬ１（インダクタンス要素の例）に流れる電流を制御し、さらに、平滑コンデンサＣ１（キャパシタンス要素の例）にて高周波リップルを抑制することで、出力端子２４からＬＥＤ８１に定電流を流す。
【００１９】
接続検出回路５１は、装着検出用の抵抗ＲＬを有するＬＥＤモジュール１２の接続の有無を判断する。
【００２０】
制御ＩＣ電源回路６１は、スイッチング電源、定電圧レギュレータ回路、抵抗ドロップ等の回路で、昇圧チョッパ制御ＩＣ３２、降圧チョッパ制御ＩＣ４２等に駆動用の電力を供給する。
【００２１】
遅延回路７１は、制御ＩＣ電源回路６１から昇圧チョッパ制御ＩＣ３２に駆動用の電力が供給された後、降圧チョッパ制御ＩＣ４２に電源電圧が印加されるタイミングを調整する。
【００２２】
ノイズ抑制回路２２、整流回路２３、昇圧チョッパ回路３１、制御ＩＣ電源回路６１については、従来のものを用いることができるため、詳細な説明を省略する。
【００２３】
以下では、降圧チョッパ回路４１、接続検出回路５１、遅延回路７１について詳細に説明する。
【００２４】
まず、降圧チョッパ回路４１について説明する。
【００２５】
降圧チョッパ制御ＩＣ４２の電源端子（２）とグランド端子（６）との間に、遅延回路７１から、所定の電圧以上の制御電源電圧が印加されると、降圧チョッパ制御ＩＣ４２のゲートドライブ端子（３）の出力電圧がＨｉｇｈレベルとなる。
【００２６】
降圧チョッパ制御ＩＣ４２のゲートドライブ端子（３）の出力電圧がＨｉｇｈレベルとなると、抵抗ＲＧを介して、ゲート駆動電圧が、ＭＯＳＦＥＴからなるスイッチング素子Ｑ１のゲート端子及びソース端子間に印加される。
【００２７】
スイッチング素子Ｑ１がオンになると、昇圧チョッパ回路３１の正側の出力端から、ＬＥＤ８１、平滑コンデンサＣ１、インダクタＬ１、スイッチング素子Ｑ１、抵抗ＲＣＳを介して、昇圧チョッパ回路３１の負側の出力端へ電流が流れる。この電流は抵抗ＲＣＳにより検出されて、電流に対応する電圧が、抵抗Ｒ１２、コンデンサＣ２からなるノイズ除去用のローパスフィルタを介して、降圧チョッパ制御ＩＣ４２のインダクタ電流検出端子（４）に入力される。
【００２８】
降圧チョッパ制御ＩＣ４２のインダクタ電流検出端子（４）の入力電圧が基準電圧を超えると、降圧チョッパ制御ＩＣ４２のゲートドライブ端子（３）の出力電圧がＬｏｗレベルとなり、スイッチング素子Ｑ１がオフになる。
【００２９】
スイッチング素子Ｑ１がオフになると、スイッチング素子Ｑ１がオンしているときに、インダクタＬ１に蓄積されていた電磁エネルギーが放出され、ダイオードＤ１を介して、ＬＥＤ８１、平滑コンデンサＣ１に電流が流れる。
【００３０】
インダクタＬ１の２次巻線の電圧は、ダイオードＤ２が並列接続された抵抗Ｒ１３，Ｒ１４の分圧回路で分圧されて、降圧チョッパ制御ＩＣ４２の端子（５）に入力される。
【００３１】
インダクタＬ１の電流が消失すると、インダクタＬ１の２次巻線には電圧が発生しなくなる。降圧チョッパ制御ＩＣ４２の端子（５）で、このインダクタＬ１の２次巻線の電圧が立ち下がったことが検出されると、降圧チョッパ制御ＩＣ４２のゲートドライブ端子（３）がＨｉｇｈレベルとなり、再びスイッチング素子Ｑ１がオンになる。
【００３２】
以降、同じ動作が繰り返される。
【００３３】
上記のように、降圧チョッパ回路４１は、接続検出用の抵抗ＲＬを有するＬＥＤモジュール１２を接続可能であり、昇圧チョッパ回路３１から供給される電力の電圧をスイッチング素子Ｑ１のオンオフにより所定の電圧に調整する。具体的には、降圧チョッパ回路４１は、スイッチング素子Ｑ１のオン時に昇圧チョッパ回路３１から供給される電力によりインダクタＬ１にエネルギーを蓄積し、スイッチング素子Ｑ１のオフ時にインダクタＬ１に蓄積したエネルギーを放出することにより、昇圧チョッパ回路３１から供給される電力の電圧を所定の電圧に調整する。降圧チョッパ回路４１は、所定の電圧に調整した電力を平滑コンデンサＣ１で平滑して光源点灯用の電力を出力する。ＬＥＤモジュール１２のＬＥＤ８１は、降圧チョッパ回路４１から出力される電力により点灯する。このとき、降圧チョッパ制御ＩＣ４２は、インダクタＬ１に流れる電流を検出し、検出した電流に応じてスイッチング素子Ｑ１のオンオフを制御することにより、降圧チョッパ回路４１からＬＥＤ８１に流れる電流を一定に維持する（即ち、ＬＥＤ８１に定電流を流す）。
【００３４】
次に、接続検出回路５１について説明する。
【００３５】
接続検出判定ＩＣ５２は、降圧チョッパ回路４１のスイッチング素子Ｑ１のオンオフ動作が開始する前（降圧チョッパ回路４１が発振していないとき）は、基準電圧ＶＲ２と検出電圧ＶＲ４とを比較し、その比較結果に基づいて、装着検出用の抵抗ＲＬを有するＬＥＤモジュール１２が接続されているかどうかを判定する。基準電圧ＶＲ２は、昇圧チョッパ回路３１の出力端間に接続された抵抗Ｒ１，Ｒ２の分圧回路から接続検出判定ＩＣ５２に入力される。検出電圧ＶＲ４は、降圧チョッパ回路４１の平滑コンデンサＣ１と平滑コンデンサＣ１に並列接続された抵抗ＲＰ（抵抗素子の例）とにインダクタＬ１を介して直列接続された抵抗Ｒ３，Ｒ４の分圧回路から接続検出判定ＩＣ５２に入力される。
【００３６】
接続検出判定ＩＣ５２は、基準電圧ＶＲ２＜検出電圧ＶＲ４であれば、装着検出用の抵抗ＲＬを有するＬＥＤモジュール１２が接続されていると判断する。一方、接続検出判定ＩＣ５２は、基準電圧ＶＲ２≧検出電圧ＶＲ４であれば、装着検出用の抵抗ＲＬを有するＬＥＤモジュール１２が接続されていないと判断する。ＬＥＤモジュール１２の装着検出用の抵抗ＲＬの有無によって、基準電圧ＶＲ２と検出電圧ＶＲ４との大小関係が逆転するように、抵抗Ｒ１〜Ｒ４，ＲＰの抵抗値が設定されているものとする。
【００３７】
上記のように、接続検出判定ＩＣ５２は、降圧チョッパ回路４１の平滑コンデンサＣ１と平滑コンデンサＣ１に並列接続された抵抗ＲＰとの並列回路から出力される電圧に基づいて、ＬＥＤモジュール１２が降圧チョッパ回路４１に接続されているかどうかを判定する。
【００３８】
接続検出判定ＩＣ５２は、装着検出用の抵抗ＲＬを有するＬＥＤモジュール１２が接続されていると判断した場合、降圧チョッパ制御ＩＣ４２の端子（１）にＨｉｇｈ信号を入力し、降圧チョッパ制御ＩＣ４２にスイッチング素子Ｑ１のオンオフ動作（発振動作）を許可する。一方、接続検出判定ＩＣ５２は、装着検出用の抵抗ＲＬを有するＬＥＤモジュール１２が接続されていないと判断した場合、降圧チョッパ制御ＩＣ４２の端子（１）にＬｏｗ信号を入力し、降圧チョッパ制御ＩＣ４２にスイッチング素子Ｑ１のオンオフ動作を禁止する（オンオフ動作中であれば、動作を停止させる）。
【００３９】
接続検出判定ＩＣ５２は、降圧チョッパ回路４１のスイッチング素子Ｑ１のオンオフ動作が開始した後（降圧チョッパ回路４１が発振しているとき）は、基準電圧Ｖｒｅｆと検出電圧ＶＲ６とを比較し、その比較結果に基づいて、スイッチング素子Ｑ１のオンオフ動作が行われているかどうかを判定する。基準電圧Ｖｒｅｆは、接続検出判定ＩＣ５２の内部で発生する規定の電圧である。検出電圧ＶＲ６は、インダクタＬ１の２次巻線にダイオードＤ３を介して接続された抵抗Ｒ５と抵抗Ｒ６及びコンデンサＣ６の並列回路との分圧回路から入力される。
【００４０】
接続検出判定ＩＣ５２は、基準電圧Ｖｒｅｆ＜検出電圧ＶＲ６であれば、スイッチング素子Ｑ１のオンオフ動作が行われていると判断する。一方、接続検出判定ＩＣ５２は、基準電圧Ｖｒｅｆ≧検出電圧ＶＲ６であれば、スイッチング素子Ｑ１のオンオフ動作が行われていないと判断する。スイッチング素子Ｑ１のオンオフ動作中（降圧チョッパ回路４１が発振しているとき）は、基準電圧Ｖｒｅｆよりも検出電圧ＶＲ６が大きくなるように、抵抗Ｒ５，Ｒ６の抵抗値、コンデンサＣ６の容量（定数）が設定されているものとする。スイッチング素子Ｑ１のオンオフ動作が停止すると（降圧チョッパ回路４１が発振しなくなると）、インダクタＬ１の２次巻線の電圧が発生しない。このため、検出電圧ＶＲ６が発生しない。よって、基準電圧Ｖｒｅｆの方が大きくなる。
【００４１】
接続検出判定ＩＣ５２は、スイッチング素子Ｑ１のオンオフ動作が行われていないと判断した場合、再び基準電圧ＶＲ２と検出電圧ＶＲ４とを比較し、その比較結果に基づいて、装着検出用の抵抗ＲＬを有するＬＥＤモジュール１２が接続されているかどうかを判定する。
【００４２】
以降、同じ動作が繰り返される。
【００４３】
次に、遅延回路７１について説明する。
【００４４】
図２は、遅延回路７１の構成を示す回路図である。
【００４５】
図２において、図１に示した制御ＩＣ電源回路６１より、電源ＶＣＣ１として、昇圧チョッパ制御ＩＣ３２及び接続検出判定ＩＣ５２に供給される電力が遅延回路７１にも入力される。この電力は、抵抗Ｒ７を介してコンデンサＣ３に入力されるとともに、ＭＯＳＦＥＴからなるスイッチング素子Ｑ３のソース端子に入力される。抵抗Ｒ７とコンデンサＣ３との接続点には、ツェナーダイオードＤＺ１が接続されている。ツェナーダイオードＤＺ１とコンデンサＣ４との接続点には、抵抗Ｒ８，抵抗Ｒ９の分圧回路が接続されている。この分圧回路の出力電圧は、トランジスタＱ２のベース端子に印加される。トランジスタＱ２は、抵抗Ｒ１０を介してスイッチング素子Ｑ３のゲート端子に接続されている。トランジスタＱ２及び抵抗Ｒ１０には、コンデンサＣ５が並列接続されている。スイッチング素子Ｑ３のゲート端子及びソース端子間には、抵抗Ｒ１１が接続されている。
【００４６】
コンデンサＣ３の電圧は、抵抗Ｒ７及びコンデンサＣ３によるＲＣ充電カーブで変化し、所望の電圧となる。コンデンサＣ３の電圧が、ツェナーダイオードＤＺ１の電圧を超えると、トランジスタＱ２がオンになり、スイッチング素子Ｑ３のゲート端子及びソース端子間に電位差が発生することで、スイッチング素子Ｑ３がオンになる。スイッチング素子Ｑ３がオンになることで、遅延回路７１より、電源ＶＣＣ２として、電力が降圧チョッパ制御ＩＣ４２に出力される。
【００４７】
図３は、ＬＥＤモジュール１２の非接続時におけるＬＥＤ点灯装置１１の内部の電圧を示すグラフである。図４は、ＬＥＤモジュール１２の接続時におけるＬＥＤ点灯装置１１の内部の電圧を示すグラフである。以下では、これらの図を用いて、昇圧チョッパ回路３１、接続検出回路５１が動作し、所定の期間が経過してから、降圧チョッパ制御ＩＣ４２に駆動用の電力を供給する必要性を説明する。
【００４８】
時刻ｔ１において、交流電源Ｖａｃからの給電が開始され、時刻ｔ２において、昇圧チョッパ回路３１の出力電圧ＶＤＤが急峻に立ち上がると、高次の周波数成分を持った電圧が、降圧チョッパ回路４１の平滑コンデンサＣ１に印加される。これより、平滑コンデンサＣ１のインピーダンスが小さくなる。
【００４９】
平滑コンデンサＣ１による過渡現象（いわゆる微分）によって、接続検出回路５１の検出電圧ＶＲ４が変動する。この検出電圧ＶＲ４の変動が収束する時刻（検出電圧ＶＲ４が、抵抗Ｒ３，Ｒ４，ＲＬ，ＲＰの抵抗分圧比によって一定になる時刻）より前の時点（例えば、時刻ｔ３）では、装着検出用の抵抗ＲＬを有するＬＥＤモジュール１２が接続されているかどうかに関わらず、基準電圧ＶＲ２＜検出電圧ＶＲ４となる。そのため、接続検出判定ＩＣ５２は、装着検出用の抵抗ＲＬを有するＬＥＤモジュール１２が接続されていると判断し、降圧チョッパ制御ＩＣ４２にスイッチング素子Ｑ１のオンオフ動作を許可する。よって、検出電圧ＶＲ４の変動が収束しないうちに、降圧チョッパ制御ＩＣ４２に電力が供給されると、装着検出用の抵抗ＲＬを有するＬＥＤモジュール１２が接続されているかどうかに関わらず、降圧チョッパ回路４１が動作してしまう。例えば、仕様外の装着検出用の抵抗ＲＬを有していないＬＥＤモジュールが接続されていても、降圧チョッパ回路４１が動作し、ＬＥＤを点灯させてしまうおそれがある。仕様外のＬＥＤが用いられると、ＬＥＤが故障したり、ＬＥＤ点灯装置１１にストレスを与えたりする可能性がある。
【００５０】
このため、本実施の形態では、昇圧チョッパ回路３１、接続検出回路５１が動作し、所定の期間が経過してから、即ち、平滑コンデンサＣ１による過渡現象（いわゆる微分）による検出電圧ＶＲ４の変動が収束する時刻（検出電圧ＶＲ４が、抵抗Ｒ３，Ｒ４，ＲＬ，ＲＰの抵抗分圧比によって一定になる時刻）以降（例えば、時刻Ｔ４）に、遅延回路７１が降圧チョッパ制御ＩＣ４２に駆動用の電力を供給する。
【００５１】
上記のように、降圧チョッパ制御ＩＣ４２は、昇圧チョッパ回路３１からの電力の供給が開始してから所定の期間（以下、「遅延時間」という）が経過し、かつ、接続検出判定ＩＣ５２により接続検出用の抵抗ＲＬを有するＬＥＤモジュール１２が降圧チョッパ回路４１に接続されていると判定されている場合に、降圧チョッパ回路４１のスイッチング素子Ｑ１のオンオフ動作を行う。このため、ＬＥＤモジュール１２が接続されていないときにＬＥＤ点灯装置１１から光源点灯用の電力が誤って出力されることがない。
【００５２】
上記遅延時間は、降圧チョッパ回路４１の平滑コンデンサＣ１と抵抗ＲＰとの並列回路から出力される電圧が略一定になるまでの期間である。即ち、上記遅延時間は、平滑コンデンサＣ１の過渡現象が終了するまでの期間である。具体的には、上記遅延時間は、平滑コンデンサＣ１の充電が完了するまでの期間である。
【００５３】
なお、図１において、降圧チョッパ回路４１が平滑コンデンサＣ１を有していない場合、検出電圧ＶＲ４は、抵抗Ｒ３，Ｒ４，ＲＬ，ＲＰの抵抗分圧比のみで定まる。このため、検出電圧ＶＲ４には、過度現象（いわゆる微分、積分）による変動が発生しない。即ち、昇圧チョッパ制御ＩＣ３２と降圧チョッパ制御ＩＣ４２とのそれぞれに駆動用の電力を供給するタイミングの違いによって、装着検出用の抵抗ＲＬを有するＬＥＤモジュール１２の接続の有無を誤判定することはない。しかし、平滑コンデンサＣ１は、ＬＥＤ８１に流れるピーク電流を抑えるため、また、雑音端子電圧、雑音電力を抑制するためには必要となる。
【００５４】
本実施の形態では、平滑コンデンサＣ１が必要となるＬＥＤ点灯装置１１において、昇圧チョッパ回路３１、接続検出回路５１が動作し、規定期間、即ち、平滑コンデンサＣ１による過渡現象（いわゆる微分）による検出電圧ＶＲ４の変動が収束する時刻（検出電圧ＶＲ４が、抵抗Ｒ３，Ｒ４，ＲＬ，ＲＰの抵抗分圧比によって一定になる時刻）以降に、降圧チョッパ制御ＩＣ４２に駆動用の電力を供給する。よって、仕様外の装着検出用の抵抗ＲＬを有していないＬＥＤモジュールが接続されている場合は、ＬＥＤが点灯しない。
【００５５】
以上説明したように、ＬＥＤ点灯装置１１は、直流電源（昇圧チョッパ回路３１）に直列接続されて高周波でオンオフ制御されるスイッチング素子Ｑ１と、スイッチング素子Ｑ１と直列に接続されてスイッチング素子Ｑ１のオン時に直流電源から電流が流れるインダクタＬ１（インダクタンス要素）と、インダクタＬ１から放出される電流を装着検出用の抵抗ＲＬ付のＬＥＤモジュール１２のＬＥＤ８１に供給するダイオードＤ１と、スイッチング素子Ｑ１に流れる電流を検出する電流検出部（抵抗ＲＣＳ）と、電流検出部により検出される電流値が所定値に達するとスイッチング素子Ｑ１をオフさせるとともに、インダクタＬ１が所定のエネルギーを放出したことを検出するとスイッチング素子Ｑ１をオンさせる降圧チョッパ制御ＩＣ４２（制御部）と、ＬＥＤ８１と並列に接続されてＬＥＤ８１に流れる電流を平滑する平滑コンデンサＣ１（キャパシタンス要素）と、平滑コンデンサＣ１に並列に接続された抵抗ＲＰ（抵抗素子）とを備える。ＬＥＤ点灯装置１１は、直流電源が駆動し、規定期間が経った後、降圧チョッパ制御ＩＣ４２に駆動用の電力を供給する。この規定期間とは、直流電源が駆動し、平滑コンデンサＣ１による過渡現象によって、ＬＥＤモジュール１２の装着有無を示す検出電圧ＶＲ４の変動する現象が収束する期間のことである。
【００５６】
ＬＥＤ点灯装置１１は、ＬＥＤモジュール１２の接続状態を検出して点灯制御を開始するものであるから、照明装置１０において、ＬＥＤモジュール１２が接続されていないときに、交流電源Ｖａｃから電力を供給してもＬＥＤ点灯装置１１にストレスが与えられることがなくなる。また、使用者が誤って、交流電源Ｖａｃから電力を供給してからＬＥＤモジュール１２を接続しても、ＬＥＤモジュール１２に過電流が発生することがないため、ＬＥＤモジュール１２が故障する恐れがなく、安全に使用することができる。さらに、本実施の形態では、ＬＥＤモジュール１２の接続状態を誤判定することなく、検出できる動作タイミングをとっているものであるから、信頼性の高いＬＥＤ点灯装置１１、照明装置１０を供給することができる。
【００５７】
本実施の形態では、光源モジュールとして、接続検出用の抵抗ＲＬを有するＬＥＤモジュール１２を用いているが、ＬＥＤモジュール１２の代わりに、接続検出用の抵抗ＲＬを有する他の種類の光源モジュールを用いてもよい。例えば、ＬＥＤ８１の代わりに有機ＥＬを備えた光源モジュールを用いてもよい。
【００５８】
また、本実施の形態では、ＬＥＤ点灯装置１１が、昇圧チョッパ回路３１からの電力の供給が開始してから遅延時間が経過した後に、降圧チョッパ制御ＩＣ４２に駆動用の電力を供給する遅延回路７１を備えているが、ＬＥＤ点灯装置１１が遅延回路７１を備える代わりに、接続検出回路５１が、昇圧チョッパ回路３１からの電力の供給が開始してから遅延時間が経過した後に、接続検出用の抵抗ＲＬを有するＬＥＤモジュール１２が接続されているかどうかを判定するようにしてもよい。即ち、接続検出回路５１が、昇圧チョッパ回路３１からの電力の供給が開始してから遅延時間が経過するまでは、基準電圧ＶＲ２＜検出電圧ＶＲ４であっても、接続検出用の抵抗ＲＬを有するＬＥＤモジュール１２が接続されていないと判定するようにしてもよい。
【００５９】
以上、本発明の実施の形態について説明したが、本発明は、この実施の形態に限定されるものではなく、必要に応じて種々の変更が可能である。
【符号の説明】
【００６０】
１０  照明装置、１１  ＬＥＤ点灯装置、１２  ＬＥＤモジュール、２１  入力端子、２２  ノイズ抑制回路、２３  整流回路、２４  出力端子、３１  昇圧チョッパ回路、３２  昇圧チョッパ制御ＩＣ、４１  降圧チョッパ回路、４２  降圧チョッパ制御ＩＣ、５１  接続検出回路、５２  接続検出判定ＩＣ、６１  制御ＩＣ電源回路、７１  遅延回路、８１  ＬＥＤ、Ｃ１  平滑コンデンサ、Ｃ２，Ｃ３，Ｃ４，Ｃ５，Ｃ６  コンデンサ、Ｄ１，Ｄ２，Ｄ３  ダイオード、ＤＺ１  ツェナーダイオード、Ｌ１  インダクタ、Ｑ１，Ｑ３  スイッチング素子、Ｑ２  トランジスタ、Ｒ１，Ｒ２，Ｒ３，Ｒ４，Ｒ５，Ｒ６，Ｒ７，Ｒ８，Ｒ９，Ｒ１０，Ｒ１１，Ｒ１２，Ｒ１３，Ｒ１４，ＲＣＳ，ＲＧ，ＲＬ，ＲＰ  抵抗、Ｖａｃ  交流電源。
【図１】
2014099383.tif 000003
【図２】
2014099383.tif 000004
【図３】
2014099383.tif 000005
【図４】
2014099383.tif 000006